(57)【特許請求の範囲】
【請求項１】
ディスククランプ位置とディスク着脱位置との間で移動可能なディスクトレイと、このディスクトレイに載架されて上記ディスククランプ位置に搬入されたディスクをクランプするクランプ機構とを備え、このクランプ機構が、ディスククランプ位置に進入した上記ディスクトレイの下側で定位置の支点を中心に上下に揺動されるアームと、このアームに搭載されたモータの回転軸に取り付けられたターンテーブルと、ディスククランプ位置に進入した上記ディスクトレイの上側に配備されて上記ターンテーブルに対向しているクランパとを備えていて、上記アームの上向き揺動によってターンテーブルがディスクをディスクトレイから持ち上げてそのターンテーブルとクランパとによってディスクを挟持するようになっているディスク駆動装置において、
上記アームに、上記クランプ機構のディスククランプ動作終了時に上記ディスクトレイをそのディスクトレイの下から支えてそのディスクトレイが下向きに反り変形を起こすことを阻止する上向き突部が設けられていることを特徴とするディスク駆動装置。
【発明の詳細な説明】
【０００１】
【発明の属する技術分野】
本発明は、ディスク駆動装置、詳しくは光ディスクなどのディスクがディスククランプ位置とディスク着脱位置との間で搬入搬出されるようになっているディスク駆動装置に関する。
【０００２】
【従来の技術】
図２及び図３に、ＣＤ、ＤＶＤ、ＣＤ−ＲＯＭ、ＣＤ−Ｒ、ＣＤ−ＲＷといった盤状の記録媒体（ディスク）を使用対象としたディスク駆動装置の基本的な構成を概略で示してある。また、図４にディスクトレイ１を平面図である。
【０００３】
図４のように、ディスクトレイ１は、平面視略矩形に形成された合成樹脂成形体でなり、その底板部１２の前側部分に円形にディスク載架領域１３が形成されていると共に、このディスク載架領域１３とその後側部分とに亘って開口１４が形成されている。
【０００４】
ディスク駆動装置において、ディスクトレイ１は図示していないディスク着脱位置と図３に示したディスククランプ位置との間で水平に移動することができるようになっている。また、ディスクトレイ１が図３に示したディスククランプ位置に進入した後、ディスクトレイ１のディスク載架領域１３に載架されているディスクＤがクランプ機構５によってクランプされるようになっている。
【０００５】
図例のクランプ機構５は、図３の矢印Ｆのようにディスククランプ位置に進入したディスクトレイ１の下側で定位置の支点５１を中心にして上下に揺動されるアーム５２を備え、このアーム５２に搭載されたモータ５３の回転軸にターンテーブル５４が取り付けられている。また、ディスククランプ位置に進入したディスクトレイ１の上側に、上記ターンテーブル５４に対向してクランパ５５が配備されている。このクランパ５５は保持部材５６に浮き上がり可能に保持されている。
【０００６】
このクランプ機構５では、ディスクＤが、ディスクトレイ１のディスク載架領域１３に載架されてディスククランプ位置に搬入された後、アーム５２が図３矢印ａのように上向き揺動し、それによってターンテーブル５４がディスクトレイ１の開口１４に突入してディスクＤをディスクトレイ１のディスク載架領域１３から持ち上げると共に、そのようにして持ち上げられたディスクＤが、クランパ５５を押し上げて保持部材５６から少し浮き上がらせる。この状態では、ターンテーブル５４又はクランパ５５に設けられている磁石の吸引力でディスクＤがターンテーブル５４とクランパ５５とによって挟持されている。
【０００７】
このようなディスク駆動装置では、その全体形状の薄型化を図るためには、クランプ機構５のアーム５２の上下方向の揺動幅を大きくすることに限界がある。また、ディスクトレイ１は、その幅方向の両端部がガイドされてディスク着脱位置とディスククランプ位置との間で移動するようになっている。そのため、ディスクトレイ１の幅方向中央部が、その自重で下方に張り出す形状に反り変形を起こすことがある。特に、ディスクトレイ１が汎用グレードの安価な合成樹脂を用いた成形体によって形成されている場合には、上記のような反り変形を起こす可能性が高くなる。そして、ディスクトレイ１が上記のような反り変形を起こした場合、その程度によっては、ディスククランプ位置への進入時やディスククランプ位置からの後退時に、下方に張り出した変形箇所がターンテーブル５４やその他の機構部品と干渉してディスクローディング動作やディスクアンローディング動作の安定性が損なわれたり、それの動作が円滑に行われなくなったりする。
【０００８】
一方、特開平１０−２７５３９０号公報には、図２及び図３で説明したディスク駆動装置に類似する構造のディスク駆動装置についての記載がある。それによると、図２のように、ディスクトレイ１がディスククランプ位置から矢印Ｒのようにディスク着脱位置に後退するときにディスクトレイ１とクランパ５５とが干渉して動作不良を起こすことを回避するために、ディスクトレイ１側に前上がりに傾斜したガイド面を形成しておき、ディスクトレイ１が矢印Ｒのように後退するときには、そのガイド面がクランパ５５に摺動してそのクランパ５５を押し上げながら後退させるようになっている。
【０００９】
しかし、この公報で開示されている技術は、ディスクトレイ１とその上側に配備されているクランパ５５との干渉による動作不良を防ぐ技術である過ぎないので、上記したようなディスクトレイ１の下方に張り出す反り変形によってそのディスクトレイがその下側に配備されているターンテーブル５４やその他の機構部品と干渉することによる動作不良を防ぐことには適用することができない。
【００１０】
【発明が解決しようとする課題】
本発明は以上の状況の下でなされたものであり、反り変形したディスクトレイが、ディスククランプ位置で、そのディスクトレイの下側に配備されているターンテーブルやその他の機構部品と干渉することを確実に防止することのできるディスク駆動装置を提供することを目的とする。
【００１１】
さらに、本発明は、ディスクトレイを合成樹脂成形体で形成する場合に、安価な汎用グレードの合成樹脂を用いた場合でも、ディスクローディングやディスクアンローディング時の動作安定性に優れるディスク駆動装置を提供することを目的とする。
【００１２】
【課題を解決するための手段】
本発明に係るディスク駆動装置は、ディスククランプ位置とディスク着脱位置との間で移動可能なディスクトレイと、このディスクトレイに載架されて上記ディスククランプ位置に搬入されたディスクをクランプするクランプ機構とを備えている。また、クランプ機構が、ディスククランプ位置に進入した上記ディスクトレイの下側で定位置の支点を中心に上下に揺動されるアームと、このアームに搭載されたモータの回転軸に取り付けられたターンテーブルと、ディスククランプ位置に進入した上記ディスクトレイの上側に配備されて上記ターンテーブルに対向しているクランパとを備えていて、上記アームの上向き揺動によってターンテーブルがディスクをディスクトレイから持ち上げてそのターンテーブルとクランパとによってディスクを挟持するようになっている。そして、上記アームに、上記クランプ機構のディスククランプ動作終了時に上記ディスクトレイをそのディスクトレイの下から支えてそのディスクトレイが下向きに反り変形を起こすことを阻止する上向き突部が設けられている。
【００１３】
このディスク駆動装置によると、クランプ機構のディスククランプ動作終了時に、アームに設けられている上向き突部がディスクトレイを下から支えてそのディスクトレイが下向きに反り変形を起こすことを阻止するので、ディスクトレイが下向きに反り変形してディスクトレイの下側に配備されている機構部品、たとえばターンテーブルなどに干渉するおそれがなくなる。そのため、ディスクローディング動作やディスクアンローディング動作が安定し、その動作信頼性が向上する。
【００１４】
【発明の実施の形態】
図１は本発明の実施形態に係るディスク駆動装置の構成を示した説明図である。
【００１５】
図１のディスク駆動装置において、ディスクトレイ１やディスク駆動装置のその他の構成は、図２〜図４で説明した従来のものと同様である。
すなわち、ディスクトレイ１は、平面視略矩形に形成された合成樹脂成形体でなり、その底板部１２の前側部分に円形にディスク載架領域が形成されていると共に、このディスク載架領域とその後側部分とに亘って開口１４が形成されている。
【００１６】
ディスクトレイ１は図示していないディスク着脱位置と図１に示したディスククランプ位置との間で水平に移動することができるようになっている。また、ディスクトレイ１が図１に示したディスククランプ位置に進入した後、ディスクトレイ１のディスク載架領域に載架されているディスクがクランプ機構５によってクランプされるようになっている。
【００１７】
クランプ機構５は、図１の矢印Ｆのようにディスククランプ位置に進入したディスクトレイ１の下側で定位置の支点５１を中心にして上下に揺動されるアーム５２を備え、このアーム５２に搭載されたモータ５３の回転軸にターンテーブル５４が取り付けられている。また、ディスククランプ位置に進入したディスクトレイ１の上側に、上記ターンテーブル５４に対向してクランパ５５が配備されている。このクランパ５５は保持部材５６に浮き上がり可能に保持されている。
【００１８】
このクランプ機構５では、ディスクＤが、ディスクトレイ１のディスク載架領域に載架されてディスククランプ位置に搬入された後、アーム５２が図１矢印ａのように上向き揺動し、それによってターンテーブル５４がディスクトレイ１の開口１４に突入してディスクＤをディスクトレイ１のディスク載架領域から持ち上げると共に、そのようにして持ち上げられたディスクＤが、クランパ５５を押し上げて保持部材５６から少し浮き上がらせる。この状態では、ターンテーブル５４又はクランパ５５に設けられている磁石の吸引力でディスクＤがターンテーブル５４とクランパ５５とによって挟持されている。
【００１９】
図１に示したディスク駆動装置では、アーム５２に、クランプ機構５のディスククランプ動作終了時にディスクトレイ１の底板部１２の開口１４の前側部分１５を下から支えてそのディスクトレイ１が下向きに反り変形を起こすことを阻止する上向き突部４１が設けられている。
【００２０】
この実施形態によると、クランプ機構５のディスククランプ動作終了時に、ディスクトレイ１の前側部分１５がアーム５２の上向き突部４１により下から支えられて下向きの反り変形が防止される。この作用は、ディスクトレイ１が汎用グレードの安価な合成樹脂の成形体で作られている場合にも発揮される。
【００２１】
【発明の効果】
以上説明したように、本発明によれば、ディスククランプ位置に進入したディスクトレイが下方に張り出すような反り変形を起こすことが阻止されるので、ディスクトレイが、ディスククランプ位置で、そのディスクトレイの下側に配備されているターンテーブルやその他の機構部品と干渉することがなくなり、ディスクローディングやディスクアンローディング時の動作安定性に優れたディスク駆動装置を提供することが可能になる。
【００２２】
また、上向き突部をクランプ機構のアームに具備させることによって、部品点数の増大によるコスト高を招かずに、ディスクローディングやディスクアンローディング時の動作安定性に優れたディスク駆動装置を提供することが可能になる。したがって、動作安定性に優れたディスク駆動装置を安価に提供することができる。加えて、本発明によれば、ディスクトレイを合成樹脂成形体で形成する場合に、安価な汎用グレードの合成樹脂を用いて動作安定性に優れるディスク駆動装置を提供することが可能になるという効果が奏される。
【図面の簡単な説明】
【図１】本発明の実施形態に係るディスク駆動装置の説明図である。
【図２】従来のディスク駆動装置の概略説明図である。
【図３】従来のディスク駆動装置の他の状態での概略説明図である。
【図４】従来のディスク駆動装置に採用されていたディスクトレイの平面図である。
【符号の説明】
Ｄ  ディスク
１  ディスクトレイ
５  クランプ機構
４１  上向き突部
５１  支点
５２  アーム
【図１】
0003568124.tif 000002
【図２】
0003568124.tif 000003
【図３】
0003568124.tif 000004
【図４】
0003568124.tif 000005